【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
物体側から像側へ順に配置された、１以上の正の屈折力のレンズ群よりなる前群、ズーミングに際して移動する負の屈折力のレンズ群よりなる変倍群、複数のレンズ群を含む正の屈折力の後群より構成され、ズーミングに際して隣り合うレンズ群の間隔が変化するズームレンズであって、
前記前群は、無限遠から至近距離へのフォーカシングに際して物体側に移動する、正の屈折力の第１フォーカスレンズ群を有し、
前記後群は、フォーカシングに際して移動する第２フォーカスレンズ群を有し、
広角端における無限遠から至近距離へのフォーカシングに際しての前記第１フォーカスレンズ群の移動量をＭａｗ、望遠端における無限遠から至近距離へのフォーカシングに際しての前記第１フォーカスレンズ群の移動量をＭａｔとするとき、
０．１＜Ｍａｗ／Ｍａｔ＜０．６
なる条件式を満足することを特徴とするズームレンズ。
【請求項２】
広角端における無限遠から至近距離へのフォーカシングに際しての前記第２フォーカスレンズ群の移動量をＭｂｗ、望遠端における無限遠から至近距離へのフォーカシングに際しての前記第２フォーカスレンズ群の移動量をＭｂｔとするとき、
０．１５＜Ｍｂｗ／Ｍｂｔ＜０．８０
なる条件式を満足することを特徴とする請求項１に記載のズームレンズ。
【請求項３】
広角端における無限遠から至近距離へのフォーカシングに際しての前記第２フォーカスレンズ群の移動量をＭｂｗとするとき、
０．３＜Ｍａｗ／Ｍｂｗ＜５．０
なる条件式を満足することを特徴とする請求項１又は２に記載のズームレンズ。
【請求項４】
望遠端における無限遠から至近距離へのフォーカシングに際しての前記第２フォーカスレンズ群の移動量をＭｂｔとするとき、
０．５＜Ｍａｔ／Ｍｂｔ＜７．０
なる条件式を満足することを特徴とする請求項１乃至３のいずれか１項に記載のズームレンズ。
【請求項５】
前記第１フォーカスレンズ群の焦点距離をｆａ、望遠端における前記ズームレンズの焦点距離をｆｔとするとき、
０．３＜ｆａ／ｆｔ＜１．１
なる条件式を満足することを特徴とする請求項１乃至４のいずれか１項に記載のズームレンズ。
【請求項６】
前記第２フォーカスレンズ群の焦点距離をｆｂ、望遠端における前記ズームレンズの焦点距離をｆｔとするとき、
０．１０＜｜ｆｂ｜／ｆｔ＜０．８０
なる条件式を満足することを特徴とする請求項１乃至５のいずれか１項に記載のズームレンズ。
【請求項７】
広角端における前記前群の焦点距離をｆｆｗ、望遠端における前記ズームレンズの焦点距離をｆｔとするとき、
０．３０＜ｆｆｗ／ｆｔ＜０．７０
なる条件式を満足することを特徴とする請求項１乃至６のいずれか１項に記載のズームレンズ。
【請求項８】
前記変倍群の焦点距離をｆｖ、広角端における前記ズームレンズの焦点距離をｆｗとするとき、
０．３０＜｜ｆｖ｜／ｆｗ＜０．６５
なる条件式を満足することを特徴とする請求項１乃至７のいずれか１項に記載のズームレンズ。
【請求項９】
広角端における前記ズームレンズの焦点距離をｆｗ、広角端における前記前群と前記変倍群の間隔をＬｆｖｗ、望遠端における前記前群と前記変倍群の間隔をＬｆｖｔとするとき、
０．１０＜（Ｌｆｖｔ−Ｌｆｖｗ）／ｆｗ＜０．５０
なる条件式を満足することを特徴とする請求項１乃至８のいずれか１項に記載のズームレンズ。
【請求項１０】
前記第１フォーカスレンズ群の焦点距離をｆａ、広角端における前記前群の焦点距離をｆｆｗとするとき、
０．９０＜ｆａ／ｆｆｗ＜２．００
なる条件式を満足することを特徴とする請求項１乃至９のいずれか１項に記載のズームレンズ。
【請求項１１】
広角端における前記後群の焦点距離をｆｒｗ、広角端における前記ズームレンズの焦点距離をｆｗとするとき、
０．５＜ｆｒｗ／ｆｗ＜１．０
なる条件式を満足することを特徴とする請求項１乃至１０のいずれか１項に記載のズームレンズ。
【請求項１２】
広角端における前記ズームレンズの焦点距離をｆｗ、望遠端における前記ズームレンズの焦点距離をｆｔ、広角端において最至近距離の物体に合焦しているときの結像横倍率をβＭＯＤｗ、望遠端において最至近距離の物体に合焦しているときの結像横倍率をβＭＯＤｔとするとき、
０．９５＜（βＭＯＤｔ／βＭＯＤｗ）／（ｆｔ／ｆｗ）＜１．２０
なる条件式を満足することを特徴とする請求項１乃至１１のいずれか１項に記載のズームレンズ。
【請求項１３】
前記前群は、物体側から像側へ順に配置された、正の屈折力の第１レンズ群、正の屈折力の第２レンズ群より構成され、
前記第１フォーカスレンズ群は前記第２レンズ群であることを特徴とする請求項１乃至１２のいずれか１項に記載のズームレンズ。
【請求項１４】
前記後群は、物体側から像側へ順に配置された、正の屈折力の第４レンズ群、負の屈折力の第５レンズ群、正の屈折力の第６レンズ群、負の屈折力の第７レンズ群より構成され、
前記第２フォーカスレンズ群は前記第７レンズ群であることを特徴とする請求項１３に記載のズームレンズ。
【請求項１５】
前記後群は、物体側から像側へ順に配置された、正の屈折力の第４レンズ群、正の屈折力の第５レンズ群より構成され、
前記第２レンズ群は前記第４レンズ群であることを特徴とする請求項１３に記載のズームレンズ。
【請求項１６】
前記後群は、物体側から像側へ順に配置された、正の屈折力の第４レンズ群、正の屈折力の第５レンズ群、負の屈折力の第６レンズ群、正の屈折力の第７レンズ群より構成され、
前記第２レンズ群は前記第４レンズ群であることを特徴とする請求項１３に記載のズームレンズ。
【請求項１７】
前記前群は、正の屈折力の第１レンズ群より構成され、
前記第１レンズ群は前記第１レンズ群であることを特徴とする請求項１乃至１２のいずれか１項に記載のズームレンズ。
【請求項１８】
前記後群は、物体側から像側へ順に配置された、正の屈折力の第３レンズ群、負の屈折力の第４レンズ群、正の屈折力の第５レンズ群、負の屈折力の第６レンズ群より構成され、
前記第２レンズ群は前記第６レンズ群であることを特徴とする請求項１７に記載のズームレンズ。
【請求項１９】
請求項１乃至１８のいずれか１項に記載のズームレンズと、該ズームレンズによって形成される像を受光する撮像素子とを有することを特徴とする撮像装置。
【手続補正２】
【補正対象書類名】明細書
【補正対象項目名】００１１
【補正方法】変更
【補正の内容】
【００１１】
本発明のズームレンズは、物体側から像側へ順に配置された、１以上の正の屈折力のレンズ群よりなる前群、ズーミングに際して移動する負の屈折力のレンズ群よりなる変倍群、複数のレンズ群を含む正の屈折力の後群より構成され、ズーミングに際して隣り合うレンズ群の間隔が変化するズームレンズであって、
前記前群は、無限遠から至近距離へのフォーカシングに際して物体側に移動する、正の屈折力の第１フォーカスレンズ群を有し、
前記後群は、フォーカシングに際して移動する第２フォーカスレンズ群を有し、
広角端における無限遠から至近距離へのフォーカシングに際しての前記第１フォーカスレンズ群の移動量をＭａｗ、望遠端における無限遠から至近距離へのフォーカシングに際しての前記第１フォーカスレンズ群の移動量をＭａｔとするとき、
０．１＜Ｍａｗ／Ｍａｔ＜０．６
なる条件式を満足することを特徴としている。
【手続補正３】
【補正対象書類名】明細書
【補正対象項目名】００３９
【補正方法】変更
【補正の内容】
【００３９】
次に本発明のズームレンズの構成について詳細に説明する。本発明に係る各実施例のズームレンズにおいて、前群ＬＦに含まれる正の屈折力のレンズ群をフォーカスレンズ群Ｌａ（第１フォーカスレンズ群）、後群ＬＲに含まれる正の屈折力または負の屈折力のレンズ群をフォーカスレンズ群Ｌｂ（第２フォーカスレンズ群）とする。無限遠から至近距離へのフォーカシングに際しフォーカスレンズ群Ｌａは物体側へ移動し、フォーカスレンズ群Ｌｂは物体側又は像側へ移動する。